(57)【要約】    【課題】  レンズ系全体がコンパクトで、広画角、高ズーム比で、高い光学性能が容易に得られるズームレンズを得ること。    【解決手段】  物体側より像側へ順に、負の屈折力の第１レンズ群、正の屈折力の第２レンズ群、正の屈折力の第３レンズ群、正の屈折力の第４レンズ群を有し、望遠端における前記第１レンズ群と前記第２レンズ群の間隔Ｄ１２Ｔ、広角端に比べ望遠端での前記第２レンズ群の光軸方向の移動量ｍ２、前記第１レンズ群と前記第２レンズ群の焦点距離ｆ１、ｆ２を各々適切に設定すること。【選択図】    図１
2012252253.tif 000002
【特許請求の範囲】
【請求項１】
物体側より像側へ順に、負の屈折力の第１レンズ群、正の屈折力の第２レンズ群、正の屈折力の第３レンズ群、正の屈折力の第４レンズ群を有し、望遠端における前記第１レンズ群と前記第２レンズ群の間隔をＤ１２Ｔ、広角端に比べ望遠端での前記第２レンズ群の光軸方向の移動量をｍ２、前記第１レンズ群と前記第２レンズ群の焦点距離を各々ｆ１、ｆ２とするとき、
０．００４＜Ｄ１２Ｔ／ｍ２＜０．０４０
１．４５＜｜ｆ２／ｆ１｜＜３．００
なる条件を満足することを特徴とするズームレンズ。
【請求項２】
前記第２レンズ群の最も広いレンズ間隔をＤ２ａとするとき、
２．８＜Ｄ２ａ／Ｄ１２Ｔ＜８．０
なる条件を満足することを特徴とする請求項１のズームレンズ。
【請求項３】
広角端における全系の焦点距離をｆＷ、広角端に比べ望遠端での前記第１レンズ群の光軸方向の移動量をｍ１とするとき、
０．４＜ｍ１／ｆＷ＜４．０
なる条件を満足することを特徴とする請求項１又は２のズームレンズ。
【請求項４】
前記第２レンズ群の最も物体側のレンズ面から最も像側のレンズ面の間に開口絞りが配置されていることを特徴とする請求項１乃至３のいずれか１項のズームレンズ。
【請求項５】
広角端に比べ望遠端での前記第３レンズ群の光軸方向の移動量をｍ３とするとき、
０．９＜ｍ２／ｍ３＜２．０
なる条件を満足することを特徴とする請求項１乃至４のいずれか１項のズームレンズ。
【請求項６】
広角端に比べ望遠端での前記第１レンズ群の光軸方向の移動量をｍ１とするとき、
０．１＜ｍ１／ｍ２＜０．６
なる条件を満足することを特徴とする請求項１乃至５のいずれか１項のズームレンズ。
【請求項７】
望遠端における全系の焦点距離をｆＴとするとき、
０．００＜Ｄ１２Ｔ／ｆＴ＜０．０５
なる条件を満足することを特徴とする請求項１乃至６のいずれか１項のズームレンズ。
【請求項８】
広角端及び望遠端における全系の焦点距離を各々ｆＷ、ｆＴとするとき、  ｆｍ＝√（ｆＷ・ｆＴ）
で表わされる焦点距離ｆｍにおける前記第２レンズ群と前記第３レンズ群の間隔をＤ２３ｍ、広角端における前記第２レンズ群と前記第３レンズ群の間隔をＤ２３Ｗとするとき、
１．０＜Ｄ２３ｍ／Ｄ２３Ｗ＜３．０
なる条件を満足することを特徴とする請求項１乃至７のいずれか１項のズームレンズ。
【請求項９】
請求項１乃至８のいずれか１項のズームレンズと、該ズームレンズによって形成される像を受光する固体撮像素子を有することを特徴とする撮像装置。
【請求項１０】
前記固体撮像素子における画像記録領域が広角端と望遠端とで異なることを特徴とする請求項９の撮像装置。
【発明の詳細な説明】
【技術分野】
【０００１】
本発明はズームレンズに関し、例えばデジタルスチルカメラ、ビデオカメラ、ＴＶカメラ、監視用カメラ、銀塩フィルム用カメラ等の撮像装置の撮像系として好適なものである。
【背景技術】
【０００２】
最近、固体撮像素子を用いたビデオカメラ、デジタルスチルカメラ等の撮像装置（カメラ）は、小型化及び高機能化されている。そして撮像装置の小型化及び高機能化にともない、それに用いる撮像光学系には広い画角（撮影画角）を包含し、高ズーム比（高変倍比）大口径比でしかも高い光学性能を有した小型のズームレンズであることが求められている。
【０００３】
この種の撮像装置には、レンズ最後部と撮像素子との間に、ローパスフィルターや色補正フィルターなどの各種の光学部材が配置される。この為、それに用いるズームレンズには、比較的バックフォーカスが長いことが要求される。さらに、カラー画像用の撮像素子を用いた撮像装置の場合には、色シェーディングを避けるため、像側のテレセントリック特性の良いことが望まれている。
【０００４】
全系が小型でバックフォーカスが長く、しかも像側のテレセントリック特性の良いズームレンズとして、負の屈折力のレンズ群が先行する（最も物体側に位置する）ネガティブリード型のズームレンズが知られている。
【０００５】
ネガティブリード型のズームレンズとして、物体側より像側へ順に、負の屈折力の第１レンズ群、正の屈折力の第２レンズ群、正の屈折力の第３レンズ群、正の屈折率の第４レンズ群を有する４群ズームレンズが知られている（例えば、特許文献１）。この４群ズームレンズにおいてＦナンバー決定用の光束を制限する開口絞りを第２レンズ群の最も物体側のレンズ面よりも像側に配置したズームレンズが知られている（例えば、特許文献２）。
【先行技術文献】
【特許文献】
【０００６】
【特許文献１】特開２００４−３１８１１０号公報
【特許文献２】特開２００３−０１５０３９号公報
【発明の概要】
【発明が解決しようとする課題】
【０００７】
ネガティブリード型のズームレンズにおいて、高ズーム比化と全系の小型化を図るには、変倍用のレンズ群の屈折力を強め、少ない移動量で高いズーム比が得られるようにするのが有効である。しかしながら、変倍用のレンズ群の屈折力を単に強めると、ズーミングに伴う収差変動が増大し、全ズーム範囲において高い光学性能を得るのが困難になってくる。
【０００８】
また前述したネガティブリード型の４群ズームレンズにおいてはズーミングに際して第１レンズ群と第２レンズ群が望遠端において最も近接するように移動する。このとき第２レンズ群の物体側に開口絞りが配置される構成では、望遠端において双方が機構上干渉するのを避けるために、開口絞りを配置した分だけ開口絞りの前後の間隔を予め確保しておく必要がある。その結果、主変倍レンズ群である第２レンズ群の移動量が、開口絞りを配置した分だけ制限され、その分ズーム比が得られず高いズーム比を得ることが困難になる。
【０００９】
このようにネガティブリード型の４群ズームレンズにおいて、全系の小型化と高ズーム比化を達成しつつ、ズーム全域における収差変動を抑制するためには、各レンズ群のレンズ構成を適切に設定することが重要となってくる。特に正の屈折力の第２レンズ群のズーミングに際しての移動量を適切に設定することが高ズーム比で広画角化を図る際に重要になってくる。
【００１０】
この他、第１、第２レンズ群の屈折力やズーミングに際しての第１レンズ群の移動量等を適切に設定することが重要になってくる。更に第２レンズ群のズーミングに際しての移動範囲を制限することとなる開口絞りの位置を光路中の適切なる位置に配置することも高ズーム比を得るのに重要になってくる。
【００１１】
本発明は、レンズ系全体がコンパクトで、広画角、高ズーム比で、高い光学性能が容易に得られるズームレンズ及びそれを有する撮像装置の提供を目的とする。
【課題を解決するための手段】
【００１２】
本発明のズームレンズは、物体側より像側へ順に、負の屈折力の第１レンズ群、正の屈折力の第２レンズ群、正の屈折力の第３レンズ群、正の屈折力の第４レンズ群を有し、望遠端における前記第１レンズ群と前記第２レンズ群の間隔をＤ１２Ｔ、広角端に比べ望遠端での前記第２レンズ群の光軸方向の移動量をｍ２、前記第１レンズ群と前記第２レンズ群の焦点距離を各々ｆ１、ｆ２とするとき、
０．００４＜Ｄ１２Ｔ／ｍ２＜０．０４０
１．４５＜｜ｆ２／ｆ１｜＜３．００
なる条件を満足することを特徴としている。
【発明の効果】
【００１３】
本発明によれば、レンズ系全体がコンパクトで、広画角、高ズーム比で、高い光学性能が容易に得られるズームレンズが得られる。
【図面の簡単な説明】
【００１４】
【図１】実施例１のズームレンズの広角端におけるレンズ断面図
【図２】（Ａ）（Ｂ）実施例１のズームレンズの広角端、望遠端における収差図
【図３】実施例２のズームレンズの広角端におけるレンズ断面図
【図４】（Ａ）（Ｂ）実施例２のズームレンズの広角端、望遠端における収差図
【図５】実施例３のズームレンズの広角端におけるレンズ断面図
【図６】（Ａ）（Ｂ）実施例３のズームレンズの広角端、望遠端における収差図
【図７】実施例４のズームレンズの広角端におけるレンズ断面図
【図８】（Ａ）（Ｂ）実施例４のズームレンズの広角端、望遠端における収差図
【図９】本発明の撮像装置の要部概略図
【発明を実施するための形態】
【００１５】
以下に、本発明の好ましい実施の形態を、添付の図面に基づいて詳細に説明する。本発明のズームレンズは、物体側より像側へ順に、負の屈折力の第１レンズ群、正の屈折力の第２レンズ群、正の屈折力の第３レンズ群、正の屈折力の第４レンズ群を有している。そしてズーミングに際して各レンズ群が移動する。
【００１６】
具体的には、広角端から望遠端へのズーミングに際して、第１レンズ群は像側に凸状の軌跡で移動し、第２レンズ群、第３レンズ群は物体側に移動する。第４レンズ群は物体側又は像側へ移動する。第１レンズ群の物体側又は第４レンズ群の像側の少なくとも一方に屈折力のあるレンズ群が配置されていても良い。
【００１７】
図１は本発明の実施例１のズームレンズの広角端（短焦点距離端）におけるレンズ断面図である。図２（Ａ）、（Ｂ）は実施例１のズームレンズの広角端と望遠端（長焦点距離端）における収差図である。実施例１はズーム比４．７５、開口比２．０６〜５．５９、撮影半画角３７．５５°〜１０．４６°のズームレンズである。図３は本発明の実施例２のズームレンズの広角端におけるレンズ断面図である。図４（Ａ）、（Ｂ）は実施例２のズームレンズの広角端と望遠端における収差図である。実施例２はズーム比４．９、開口比２．０６〜５．９、撮影半画角３８．４３°〜１０．４５°のズームレンズである。
【００１８】
図５は本発明の実施例３のズームレンズの広角端におけるレンズ断面図である。図６（Ａ）、（Ｂ）は実施例３のズームレンズの広角端と望遠端における収差図である。実施例３はズーム比５．６２、開口比２．０６〜６．６、撮影半画角３８．５６°〜９．１８°のズームレンズである。図７は本発明の実施例４のズームレンズの広角端におけるレンズ断面図である。図８（Ａ）、（Ｂ）は実施例４のズームレンズの広角端と望遠端における収差図である。実施例４はズーム比４．７６、開口比２．０６〜６．０１、撮影画角３７．６４°〜１０．４６°のズームレンズである。
【００１９】
図９は本発明のズームレンズを備えるデジタルスチルカメラの要部概略図である。各実施例のズームレンズは撮像装置に用いられる撮影レンズ系であり、レンズ断面図において、左方が物体側（前方）で、右方が像側（後方）である。尚、各実施例のズームレンズをプロジェクター等の光学機器に用いるときは、左方がスクリーン、右方が被投影画像となる。
【００２０】
レンズ断面図において、Ｌ１は負の屈折力（光学的パワー＝焦点距離の逆数）の第１レンズ群、Ｌ２は正の屈折力の第２レンズ群、Ｌ３は正の屈折力の第３レンズ群、Ｌ４は正の屈折力の第４レンズ群である。ＳＰは開放Ｆナンバー（Ｆｎｏ）光束を決定（制限）する開口絞りの作用をするＦナンバー決定部材（以下「開口絞り」ともいう。）である。ＦＰは開口径不変の副絞り（フレアーカット絞り）である。
【００２１】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２２】
収差図のうち、球面収差図においては、ｄ線及びｇ線を示している。ＦｎｏはＦナンバーである。非点収差図において、Ｍ、Ｓはメリディオナル像面、サジタル像面である。倍率色収差はｇ線によって表している。ωは半画角（度）である。尚、以下の各実施例において広角端と望遠端は変倍用レンズ群（第２レンズ群Ｌ２）が機構上、光軸上移動可能な範囲の両端に位置したときのズーム位置をいう。レンズ断面図において、矢印は広角端から望遠端へのズーミングに際しての各レンズ群の移動軌跡と、矢印Ｆは無限遠被写体から近距離被写体へフォーカスするときの移動方向の一例として表している。
【００２３】
各実施例のズームレンズでは、広角端から望遠端のズーム位置へのズーミングに際して、第１レンズ群Ｌ１が像側に凸状の軌跡の一部を描いて移動して、変倍に伴う像面変動を補正している。第２レンズ群Ｌ２が物体側に単調に移動して主たる変倍を行っている。第３レンズ群Ｌ３は物体側に移動している。第４レンズ群Ｌ４は物体側又は像側へ移動している。このとき広角端から望遠端へのズーミングに際して第１レンズ群Ｌ１と第２レンズ群Ｌ２との間隔は小さくなる。
【００２４】
また第２レンズ群Ｌ２と第３レンズ群Ｌ３との間隔は大きくなり、その後小さくなる。第３レンズ群Ｌ３と第４レンズ群Ｌ４との間隔が大きくなる。ズーム全域において、第４レンズ群Ｌ４を矢印Ｆの如く物体側に移動させて無限遠被写体から近距離被写体へのフォーカシングを行っている。Ｆナンバー決定部材ＳＰは、第２レンズ群Ｌ２の最も物体側のレンズ面と最も像側のレンズ面との間に位置し、ズーミングに際して第２レンズ群Ｌ２と一体的に移動する。
【００２５】
次に各実施例のズームレンズでは、次の構成をとることにより、良好なる光学性能を得ている。
【００２６】
望遠端における第１レンズ群Ｌ１と第２レンズ群Ｌ２の間隔をＤ１２Ｔとする。広角端に比べ望遠端での第２レンズ群Ｌ２の光軸方向の移動量をｍ２とする。第１レンズ群Ｌ１と第２レンズ群Ｌ２の焦点距離を各々ｆ１、ｆ２とする。
【００２７】
このとき、
０．００４＜Ｄ１２Ｔ／ｍ２＜０．０４０    ・・・（１）
１．４５＜｜ｆ２／ｆ１｜＜３．００        ・・・（２）
なる条件を満足している。ここで移動量とは広角端における位置と望遠端における位置の差である。また移動量の符号は、広角端に比べ望遠端において物体側に移動したときを正、像側に移動したときを負としている。
【００２８】
条件式（１）は、第１レンズ群Ｌ１と第２レンズ群Ｌ２が最も近接する変倍位置（望遠端）での第１、第２レンズ群Ｌ１、Ｌ２の間隔と、第２レンズ群Ｌ２のズーミングに際しての移動量との比を規定したものである。
【００２９】
高ズーム比化に伴い、主変倍レンズ群である第２レンズ群Ｌ２の移動量ｍ２の値は大きくなるほど、各レンズ群の屈折力は小さくて済むので、収差補正に際しては有利である。一方で移動量ｍ２が大きくなると、望遠端においてレンズ全長（第１レンズ面から像面までの距離）は必然的に長くなるため、全系が大型化してくる。それを抑制するためには、望遠端において第１レンズ群Ｌ１と第２レンズ群Ｌ２の間隔を極小値となるようにレンズ群を移動することが好ましい。
【００３０】
第１レンズ群Ｌ１と第２レンズ群Ｌ２の間隔を小さくすると、レンズ全長が短縮される事で入射瞳位置が第１レンズ面から短くなり、前玉有効径を小さくできるという効果も得られる。
【００３１】
条件式（１）の下限を超えて移動量ｍ２が大きくなると、必然的にレンズ全長が長くなる。特定のレンズ群の移動量が大きくなると、レンズ鏡筒を沈胴収納するためには、多段化する必要が生じるため、鏡筒径の小型化が難しくなる。条件式（１）の上限を超えて、第１レンズ群Ｌ１と第２レンズ群Ｌ２が望遠端において十分に近接しきれていないと、同じレンズ全長でも第２レンズ群Ｌ２の変倍ストロークが十分に確保できなく高ズーム比化が困難になる。
【００３２】
条件式（２）は、第１レンズ群Ｌ１と第２レンズ群Ｌ２の焦点距離の比率を規定したものである。高ズーム比化を実現するためには、各レンズ群の屈折力（焦点距離の逆数）は大きい方が好ましいが、その場合、一般に各レンズ群内のレンズ枚数を増やさないと収差補正が困難である。そこで各実施例では、条件式（１）を満たすように第２レンズ群Ｌ２の変倍ストロークを確保しつつ、第１、第２レンズ群の屈折力比を条件式（２）の如く適切に設定している。
【００３３】
条件式（２）の下限を超えて屈折力の大きくなった第２レンズ群Ｌ２を、長い変倍ストロークで動かすと、第２レンズ群Ｌ２より発生する諸収差の変動を、少ないレンズ枚数で抑制するのが困難になる。このため、第２レンズ群Ｌ２を構成するレンズ枚数を増やす必要が生じ、結果的に全系の小型化が難しくなってくる。また、下限を超えて、第１レンズ群Ｌ１の屈折力が相対的に弱くなると、広画角化が難しくなってくる。
【００３４】
逆に条件式（２）の上限を超えて第２レンズ群Ｌ２の焦点距離が長くなると、高ズーム比化を達成するためには、主変倍レンズ群である第２レンズ群Ｌ２の変倍ストロークを大きくする必要がある。そうすると前述の条件式（１）で述べたように、レンズ全長が増大してくるので良くない。
【００３５】
更に好ましくは、条件式（１）、（２）の数値範囲を次の如く設定するのが良い。
【００３６】
０．００４＜Ｄ１２Ｔ／ｍ２＜０．０３５    ・・・（１ａ）
１．５＜｜ｆ２／ｆ１｜＜２．４            ・・・（２ａ）
これによれば、特に広画角化及び高ズーム比化を図りつつ全系の小型化が容易になる。
【００３７】
以上のように各構成要件を特定することによってレンズ系全体が小型で、全ズーム範囲で高い光学性能を有した広画角のズームレンズを得ているが、更に好ましくは次の諸条件のうちの１以上を満足するのが良い。
【００３８】
第２レンズ群Ｌ２中の最も広いレンズ間隔をＤ２ａとする。広角端に比べ望遠端での第１レンズ群Ｌ１及び第３レンズ群Ｌ３の光軸方向の移動量を各々ｍ１、ｍ３とする。広角端及び望遠端における全系の焦点距離を各々ｆＷ、ｆＴとする。
【００３９】
ｆｍ＝√（ｆＷ・ｆＴ）
で表わされる焦点距離ｆｍにおける第２レンズ群Ｌ２と第３レンズ群Ｌ３の間隔をＤ２３ｍとする。広角端における第２レンズ群Ｌ２と第３レンズ群Ｌ３の間隔をＤ２３Ｗとする。
【００４０】
このとき、
２．８＜Ｄ２ａ／Ｄ１２Ｔ＜８．０    ・・・（３）
０．４＜ｍ１／ｆＷ＜４．０          ・・・（４）
０．９＜ｍ２／ｍ３＜２．０          ・・・（５）
０．１＜ｍ１／ｍ２＜０．６          ・・・（６）
０．００＜Ｄ１２Ｔ／ｆＴ＜０．０５  ・・・（７）
１．０＜Ｄ２３ｍ／Ｄ２３Ｗ＜３．０  ・・・（８）
なる条件式のうち１以上を満足するのが良い。
【００４１】
次に、前述の各条件式の技術的意味について説明する。条件式（３）は、第２レンズ群Ｌ２内の隣接するレンズ間隔のうち最も広いレンズ間隔に対する望遠端での第１レンズ群Ｌ１と第２レンズ群Ｌ２の間隔との比に関する条件式である。
【００４２】
前述した条件式（１）で示すように、間隔Ｄ１２Ｔは、小さい方がレンズ全長を短くしつつ第２レンズ群Ｌ２の変倍ストロークを十分多く確保する事が出来るため、より高ズーム比のズームレンズを実現するのが容易となる。またレンズ間隔Ｄ２ａは、小さい方がレンズ沈胴長を短くし、コンパクトな撮像装置を実現する上で好ましい。
【００４３】
そこで各実施例では間隔Ｄ１２Ｔを小さくしてレンズ全長を短くしたとき、開口絞りＳＰを第１レンズ群Ｌ１と第２レンズ群Ｌ２の間に設ける事が困難になるので、開口絞りＳＰを第２レンズ群Ｌ２のレンズ間に設けている。
【００４４】
各実施例において、レンズ間隔Ｄ２ａは第２レンズ群Ｌ２のレンズ中に配置された、開口絞りＳＰの前後の空気間隔の和を意味する。条件式（３）の下限を超えると、間隔Ｄ１２Ｔが大きくなりすぎるため、望遠端においてレンズ全長が増大してくる。一方、上限を超えるとレンズ間隔Ｄ２ａが大きくなりすぎるため、沈胴時のカメラ厚が増大してくる。
【００４５】
条件式（４）は第１レンズ群Ｌ１のズーミングに際しての移動量を広角端における全系の焦点距離で規格化したもので有る。移動量ｍ１が条件式（４）の下限を超えて小さくなると、第１レンズ群Ｌ１が往復移動に近い軌跡を描くことになり、高ズーム比を得るのが難しくなる。また、広画角化を図る際に、広角端において入射瞳距離を第１レンズ面から短くすると前玉有効径が小さくなる。このため、広角端においては第１レンズ群Ｌ１が開口絞りＳＰに近いほど好ましい。この状態でズーム比を大きくするためには、主変倍レンズ群である第２レンズ群Ｌ２のズーミングに際しての移動量を多く確保する必要がある。
【００４６】
このため、下限値を超えて移動量ｍ１が小さくなると、望遠端において第１レンズ群Ｌ１が物体側に繰出す量が少なくなり良くない。同様に、広角端における全系の焦点距離ｆＷが大きくなっても下限値を超えると全体が大型化してくるので良くない。逆に条件式（４）の上限を超えると、移動量ｍ１が大きくなりすぎるので、第１レンズ群Ｌ１を繰出すための鏡筒長が長くなり、沈胴時のカメラ厚が増大するので良くない。
【００４７】
条件式（５）は、第２レンズ群Ｌ２と第３レンズ群Ｌ３のズーミングに際しての移動量の比を適切に定めたものである。前述したように第２レンズ群Ｌ２は主変倍作用を司るため、高ズーム比化のためには、大きな移動量が必要である。一方で第３レンズ群Ｌ３は変倍に補助的な役割を担っているので、第２レンズ群Ｌ２の移動に伴った軌跡で像倍効果を得たり、物体側に移動して第２レンズ群Ｌ２の移動に伴う変倍時の像面変動を補正している。
【００４８】
条件式（５）の下限を超えると、第２レンズ群Ｌ２の変倍作用が不十分なため、レンズ全系で十分なズーム比を得るのが困難になる。条件式（５）の上限を超えると、第３レンズ群Ｌ３の移動による減倍作用が働くと共に、収差補正の効果が不十分になるため好ましくない。
【００４９】
条件式（６）は、第１レンズ群Ｌ１と第２レンズ群Ｌ２のズーミングに際しての移動量の比を定めたものである。前述のように、第１レンズ群Ｌ１は広角端で開口絞りＳＰに近くなり、また望遠端において物体側に繰出す事が望ましい。また第２レンズ群Ｌ２は高い変倍比を得るためには移動量が大きい事が好ましい。
【００５０】
条件式（６）の下限を超えると、第１レンズ群Ｌ１の移動量が不十分となり、第２レンズ群Ｌ２の移動量を多くするためには広角端においてレンズ全長を長くする必要があるので良くない。上限を超えると、第１レンズ群Ｌ１の移動量が大きくなるため、ズーミングに際して光線束が大きく変動する軸外収差の補正が困難になる。
【００５１】
条件式（７）は望遠端における第１レンズ群Ｌ１と第２レンズ群Ｌ２の間隔Ｄ１２Tと、望遠端における全系の焦点距離ｆＴの比率を規定したものである。高ズーム比化により望遠端における全系の焦点距離を大きくするためには、レンズ群間隔を小さくする事が必要となるため、必然的にその比率は小さい方が好ましい。但し、ネガティブリード方式のズームレンズにおいて、条件式（７）の下限に近づくと高ズーム比化に際して収差補正のために多数のレンズが必要となるため、全系が大型化してくるので良くない。
【００５２】
条件式（８）はズーム中間領域において各レンズ面に入射する画面の光束の変動を制限して、像面湾曲を含む諸収差の補正を良好に行うためのものである。条件式（８）の下限値を超えると、ズーム中間域で変動する画面周辺光束によるコマ収差を抑制する事が困難になるとともに、レンズ間が干渉する場合があるので良くない。上限値を超えるとズーム中間域で第２レンズ群Ｌ２に対する第３レンズ群Ｌ３の相対的な移動が大きくなるため、鏡筒構成が複雑になり、全系が大型化してくるので良くない。
【００５３】
各実施例において、収差補正上、及び、広画角化、高ズーム比化とレンズ全体の小型化を達成するため、さらに好ましくは条件式（３）乃至（８）の数値範囲を次の如く設定するのが良い。
【００５４】
３．０＜Ｄ２ａ／Ｄ１２Ｔ＜７．０        ・・・（３ａ）
０．６＜｜ｍ１／ｆｗ｜＜３．０          ・・・（４ａ）
０．９５＜｜ｍ２／ｍ３｜＜１．１０      ・・・（５ａ）
０．１５＜｜ｍ１／ｍ２｜＜０．５０      ・・・（６ａ）
０．０１＜Ｄ１２Ｔ／ｆＴ＜０．０４      ・・・（７ａ）
１．０２＜Ｄ２３ｍ／Ｄ２３Ｗ＜２．００  ・・・（８ａ）
各実施例では以上の様に各要素を設定する事により、特に、固体撮像素子を用いた撮影光学系に好適な、構成レンズ枚数が少なく全系がコンパクトで、特に被写体距離の変動に対し優れた光学性能を有するズームレンズを得ている。
【００５５】
以上、本発明の好ましい実施形態について説明したが、本発明はこれらの実施形態に限定されず、その要旨の範囲内で種々の変形及び変更が可能である。
【００５６】
次に各実施例のレンズ構成の具体的な特徴について説明する。各実施例のズームレンズは、第２レンズ群Ｌ２及び第３レンズ群Ｌ３の移動により主な変倍を行っている。そして第１レンズ群Ｌ１の像側に凸状の軌跡の移動及び第４レンズ群Ｌ４による移動によって変倍に伴う像面の移動を補正している。
【００５７】
特に、第４レンズ群Ｌ４は、全系の小型化に伴う各レンズ群の屈折力の増大を分担し、第１、第２、第３レンズ群Ｌ１、Ｌ２、Ｌ３で構成されるショートズーム系の屈折力を減らしている。これにより第１レンズ群Ｌ１を構成する各レンズでの収差の発生を抑え良好な光学性能を達成している。また、固体撮像素子等を用いた撮影装置に必要な像側のテレセントリックな結像を第４レンズ群Ｌ４にフィールドレンズの役割を持たせる事で達成している。
【００５８】
また、各実施例ではＦナンバーを決定する開口絞りＳＰを第２レンズ群Ｌ２の最も物体側のレンズ面と最も像側のレンズ面の間に配置し、像側に入射する光量を調整している。開口絞りＳＰは被写体の明るさに応じて口径が可変であるため、その動作のためには、前後に適切な空気間隔が必要となる。また、第３レンズ群Ｌ３の像側には開口径固定の副絞り（フレアーカット絞り）ＦＰを配置して光学性能を劣化させる有害な光線（フレアー光）をカットしている。
【００５９】
具体的には、ズーム領域全域を大口径化することにより軸上光線束径が大きくなるが、同時に軸上光線が通過する高さまで軸外光線も入射する。光線が大量に入ってくる分、軸外光線のマージナル光線がコマフレアとなり光学性能に悪影響を与える。このため、副絞りＦＰによりこの軸外光線の上方光線をカットしている。
【００６０】
この副絞りＦＰは望遠端において軸上光線をカットしない開口径に設定することにより、全ズーム領域にて軸外光線の上方光線によるコマフレアを最大限にカットしている。これにより全ズーム領域において高い光学性能を得ている。また、開口絞りＳＰを挟んで第１レンズ群Ｌ１と第３レンズ群Ｌ３を配置して、これらの各レンズ群で軸外の諸収差を打ち消すことにより、レンズ枚数を増やさずに良好な光学性能を得ている。
【００６１】
次に図１の実施例１のレンズ構成について説明する。図１において、第１レンズ群Ｌ１を、物体側から像側へ順に、像側に凹面を向けた負レンズ１１と、物体側に凸面を向けたメニスカス形状の正レンズ１２の２枚のレンズで構成している。第１レンズ群Ｌ１は、軸外主光線を開口絞りＳＰの中心に結像させる役割を持っている。第１レンズ群Ｌ１は広角側において、軸外主光線の屈折量が大きいために軸外諸収差、特に非点収差と歪曲収差が多く発生し易い。
【００６２】
そこで本実施例では、通常の広画角の撮影レンズと同様、最も物体側のレンズの有効径の増大を軽減するのに好ましいレンズ構成である負レンズ１１と正レンズ１２より構成している。そして像側のレンズ面をレンズ中心からレンズ周辺にいくに従い負の屈折力が弱くなる非球面形状としている。
【００６３】
これにより、非点収差を良好に補正し、２枚のレンズで第１レンズ群Ｌ１を構成し、レンズ全体のコンパクト化を図っている。また第１レンズ群Ｌ１を２枚のレンズ枚数で構成するために、各レンズに高屈折率材料を用いることにより、各レンズ面の曲率を緩くして、径方向のコンパクト化を図っている。
【００６４】
また、第１レンズ群Ｌ１を構成する負レンズ１１の物体側のレンズ面を除く各レンズ面は、軸外主光線の屈折によって生じる軸外収差の発生を抑えるために、開口絞りＳＰと光軸が交差する点を中心とする同心球面に近いレンズ形状としている。撮影光学系の広画角化による前玉有効径の増大を抑制する有効な手段の一つとして、当技術分野では撮像素子で得られた画像の歪曲収差を電子的に補正を行う事が知られている。
【００６５】
これは負の歪曲収差が発生する広角端近傍で、電子的に歪曲が小さくなるような電子処理を施すと、前玉有効径を通る軸外光束の位置を光軸に近くする事ができるためである。負レンズ１１の物体側のレンズ面は歪曲収差が電子的に補正できる程度のレンズ形状としつつ、像面彎曲の補正が容易となる形状としている。
【００６６】
具体的には物体側のレンズ面の曲率半径が像側のレンズ面よりも大きくなるようにしている。第２レンズ群Ｌ２を物体側から像側へ順に、物体側に凸面を向けた正レンズ（正の屈折力のレンズ成分）２１、物体側に凸面を向けた正レンズ２２、像側に凹面を向けた負レンズ２３より構成している。正レンズ２２と負レンズ２３は接合されて接合レンズを構成している。広角端にて大口径化を実現すると、開口絞りＳＰ付近の軸上光束が径方向に最も広がり、球面収差やコマ収差などの諸収差が多く発生する。
【００６７】
これらの諸収差はレンズ面で光線が屈折する際に発生し、レンズ面での屈折が大きいほど大きく発生する。そのため、開口絞りＳＰより、物体側において軸上光線が径方向に最も高くなる光軸上の位置に正レンズ２１を配置し、正レンズ２１を物体側に凸面を向けたレンズ形状とし、かつ屈折力（光学的パワー＝焦点距離の逆数）を適切に設定している。これにより光線を緩やかに屈折させ、諸収差の発生を低減している。さらに、正レンズ２１の両面を非球面形状とすることで、球面収差の補正を効果的に行っている。
【００６８】
本実施例においては、最も物体側に配された正レンズ２１の物体側のレンズ面をレンズ中心からレンズ周辺にいくに従って正の屈折率が弱くなる非球面形状とすることにより、球面収差、コマ収差等を良好に補正している。また、正レンズ２１の像面側に物体側に凸面を向けた正レンズ２２を配置することにより、光線の屈折を分割するレンズ構成にしている。正レンズ２１と正レンズ２２にて光線を屈折することにより発生した球面収差やコマ収差は、負レンズ２３の像側のレンズ面形状を像側に凹面を向けたレンズ形状にし、光線を逆側に屈折させている。
【００６９】
これにより、正レンズ２１と正レンズ２２にて発生した球面収差やコマ収差をキャンセル（補正）している。正レンズ２１と正レンズ２２にて発生した２枚のレンズ分の収差をキャンセルするため、負レンズ２３の像側のレンズ面の曲率は、ある程度の屈折力を持つことが必要である。特に球面収差の補正のための正レンズ２１、正レンズ２２、負レンズ２３の各レンズ面形状の最適化が必要となる。
【００７０】
また、広角端での第２レンズ群Ｌ２の光軸上の位置はレンズ系全体の屈折力配置によって決まってくる。大口径比にて高い光学性能を確保するには正レンズ２１、正レンズ２２、負レンズ２３の位置はある最適な光軸上の位置に決まる。
【００７１】
具体的には、大口径化にすると広角端において焦点深度が浅くなるため、像面彎曲の補正が重要となる。全系の屈折力が最適化されていないとペッツバール和が最適値から崩れてしまうため、像面彎曲を良好に補正するのが難しくなり高性能化が困難になる。このように全系の最適な屈折力配分を行うには第２レンズ群Ｌ２を構成する正レンズ２１、正レンズ２２、負レンズ２３をある程度像面から離れた位置に配置することが良い。
【００７２】
例えば、第２レンズ群Ｌ２の正の屈折力を強くすると、正レンズ２１、正レンズ２２、負レンズ２３は像面に近づき、全系のコンパクト化や高ズーム比化には有利になるが、ペッツバール和が小さくなりすぎ、像面彎曲の補正が困難となってしまう。
【００７３】
第３レンズ群Ｌ３は、正の屈折力を有する。大口径比の撮影レンズにおいて軸上光線は、大口径比になるほど、像面ＩＰに入射するマージナル光線の角度が大きくなる。そのため、広角端において像面付近に正レンズ成分３１を配置し、軸上光線を屈折しておかないと、広角端にて最も軸上光線の高くなる第２レンズ群Ｌ２が径方向に増大してしまう。
【００７４】
この結果、コンパクト化が困難な上、球面収差とコマ収差の補正を良好に行うことが困難となる。よって、像面付近の正の屈折力のレンズ群である第４レンズ群Ｌ４に加え、第３レンズ群Ｌ３を正レンズ成分３１で構成し、正の屈折力を第４レンズ群Ｌ４と分割することにより、球面収差の発生とレンズ径の増大を抑えている。
【００７５】
以上より、特に大口径化による球面収差の発生を抑えるためには、第２レンズ群Ｌ２の正レンズ２１、正レンズ２２、負レンズ２３の光軸方向の位置と、第３レンズ群Ｌ３の正レンズ成分３１を適切に配置することが重要である。全系のコンパクト化を狙い、正レンズ２１、正レンズ２２、負レンズ２３に対して正レンズ成分３１を近接配置し過ぎると、第２レンズ群Ｌ２の屈折力配置からくる像面彎曲の補正と、球面収差のズーミングの際の変動を軽減するのが難しくなる。
【００７６】
次に第４レンズ群Ｌ４は、物体側に凸面を向けた正レンズ４１より構成し、像側テレセントリックにするためのフィールドレンズとして作用するようにしている。いま、バックフォーカスをｓｋ’、第４レンズ群Ｌ４の焦点距離をｆ４、第４レンズ群Ｌ４の結像倍率をβ４とすると、
ｓｋ’＝ｆ４（１−β４）
の関係が成り立っている。
【００７７】
但し、
０＜β４＜１．０
である。
【００７８】
ここで、広角端から望遠端へのズーミングに際して第４レンズ群Ｌ４を像側に移動するとバックフォーカスｓｋ’が減少することになり、第４レンズ群Ｌ４の結像倍率β４は望遠側で増大する。すると、結果的に第４レンズ群Ｌ４で変倍を分担できるため、第２レンズ群Ｌ２及び第３レンズ群Ｌ３のズーミングに際しての移動量を減少させることができる。そして、第２レンズ群Ｌ２及び第３レンズ群Ｌ３の移動量が減少することにより、スペースが節約できるためにズームレンズ全系の小型化が容易になる。
【００７９】
本実施例において無限遠被写体から近距離被写体へのフォーカシングに際しては第４レンズ群Ｌ４を矢印Ｆの如く物体側に移動させている。第４レンズ群Ｌ４でフォーカスを行うと、最も物体側に配置した第１レンズ群Ｌ１でフォーカスを行う場合に比べて、前玉有効径の増大を軽減することができる。更にレンズ重量が最も重い第１レンズ群Ｌ１を移動させるとアクチュエーターの負荷が増大する。
【００８０】
これに比べて軽量な第４レンズ群Ｌ４でフォーカスを行うと、アクチュエーターの負荷を軽減することができる。さらに、ズーミングに際して第１レンズ群Ｌ１と第２レンズ群Ｌ２、第３レンズ群Ｌ３とをカム等で単純に連携して移動させることが容易となり、メカ構造の簡素化及び精度の向上が容易になる。また、本実施例では広角端から望遠端へのズーミングに際して第４レンズ群Ｌ４は物体側に移動している。光学性能上の観点からは、第４レンズＬ４をフォーカシング時に固定し、第３レンズ群Ｌ３を光軸方向に移動させる事でフォーカシングを行う事も可能である。
【００８１】
実施例２乃至４は実施例１に比べてズームタイプとして広角端から望遠端へのズーミングに際して第４レンズ群Ｌ４が像側に移動している点が異なっている。実施例２乃至４はこれにより、フォーカシングの際に第４レンズ群Ｌ４の移動量が大きくなる望遠端において第４レンズ群Ｌ４の移動のためスペースを多くとることができるようにしている。この為、ズーミング及びフォーカシングで必要となる第４レンズ群Ｌ４の移動に関するスペースを最小とする事ができて、レンズ系のコンパクト化を容易にしている。実施例２、３の各レンズ群のレンズ構成は実施例１と略同じである。
【００８２】
実施例４は実施例１に比べて、第３レンズ群Ｌ３に正レンズ３１と負レンズ３２を接合した正の屈折力の接合レンズ（レンズ成分）より構成した点が異なっており、この他の構成は同じである。実施例４では接合レンズ面による高次のコマ収差の抑制や、ズーム全域にわたる軸上色収差と倍率色収差を同時に良好に補正している。特に、撮影時の手振れによる像面上での像ブレ補正のために、第２レンズ群Ｌ２或いは第３レンズ群Ｌ３を光軸と直交する方向に移動させる、所謂防振動作の際に発生する収差を補正するのに有効である。
【００８３】
各実施例においては、機構の簡略化のために副絞りＦＰを、ズーミングに際して第３レンズ群Ｌ３と一体に移動させているが、適切な移動軌跡で移動させても良い。これによれば、軸外光束のマージナル光束を効果的に制限する事ができるため、更なるズーム中間域での良好なる収差補正が容易になる。
【００８４】
以上のように各実施例によれば、レンズ系全体がコンパクトで、広画角、高ズーム比で、被写体距離の変動に対し高い光学性能を有するズームレンズが得られる。
【００８５】
次に本発明のズームレンズを撮影光学系として用いたデジタルカメラ（撮像装置）の実施形態を図９を用いて説明する。図９において、９０はデジタルカメラ本体、９１は上述の各実施例のズームレンズによって構成された撮影光学系である。９２は撮影光学系９１によって被写体像を受光するＣＣＤ等の撮像素子（固体撮像素子）である。
【００８６】
本実施例では撮像素子９２における画像記録領域が広角端と望遠端で異なるようにしている。具体的には望遠端で大きくなるようにしている。これにより画面全体の光学性能のバランスを良好に維持している。９３は撮像素子９２が受光した被写体像を記録する記録手段である。９４は不図示の表示素子に表示された被写体像を観察するためのファインダーである。
【００８７】
上記表示素子は液晶パネル等によって構成され、撮像素子９２上に形成された被写体像が表示される。このように本発明のズームレンズをデジタルカメラ等の撮像装置に適用することにより、小型で高い光学性能を有する撮像装置を実現している。また本発明のズームレンズはミラーレスの一眼レフカメラにも同様に適用することができる。
【００８８】
次に、本発明の各実施例に対応する数値実施例を示す。各数値実施例において、ｉは物体側からの面の順序を示す。ｒｉはレンズ面の曲率半径、ｄｉは第ｉ面と第ｉ＋１面との間のレンズ肉厚および空気間隔、ｎｄｉ、νｄｉはそれぞれｄ線に対する屈折率、アッベ数を示す。
【００８９】
また、最も像側の２つの面はフェースプレート等のガラス材である。また、ｋ、Ａ４，Ａ６，Ａ８，Ａ１０は非球面係数である。非球面形状は光軸からの高さｈの位置での光軸方向の変位を面頂点を基準にしてｘとするとき、
ｘ＝（ｈ2／Ｒ）／［１＋｛１−（１＋ｋ）（ｈ／Ｒ）2｝1/2］＋Ａ４ｈ4＋Ａ６ｈ6＋Ａ８ｈ8＋Ａ１０ｈ10
で表される。但しＲは曲率半径である。
【００９０】
尚、バックフォーカスＢＦは最も像側のレンズ面から像面までの長さを空気換算長で示している。又、前述の各条件式と各数値実施例との関係を表１に示す。
【００９１】
［数値実施例１］
単位 mm
面データ
面番号       r        d      nd         νd
1*         ∞       1.15   1.84954    40.1           
2*         5.324    1.52                             
3          8.303    2.05   1.92286    18.9           
4         15.535  (可変)                             
5*        10.207    2.00   1.68966    53.0           
6*        90.257    1.40                             
7(絞り)    ∞       0.80                             
8          5.584    1.90   1.69680    55.5           
9         44.579    0.60   1.80518    25.4           
10          4.210  (可変)                             
11          9.473    1.50   1.80610    40.9           
12        184.327    0.80                             
13副絞り    ∞     (可変)                             
14*        13.675    1.80   1.58313    59.4           
15         37.410  (可変)                             
16          ∞       0.80   1.51633    64.1           
17          ∞       1.23                           
像面        ∞   
非球面データ
第1面
K =-7.54512e+008  A 4=-1.55796e-004  A 6= 9.96871e-006  A 8=-1.61573e-007  A10= 8.99813e-010  
第2面
K =-1.47967e+000  A 4= 5.49336e-004  A 6= 1.31814e-005  A 8= 2.02299e-007  A10=-7.71354e-009  
第5面
K =-1.30343e+000  A 4=-1.08965e-004  A 6= 1.35003e-005  A 8=-6.55777e-007  A10= 1.80922e-008  
第6面
K =-1.09112e+003  A 4= 1.10575e-007  A 6= 4.42611e-006  A 8=-9.42457e-008  
第14面
K = 2.04255e+000  A 4=-1.15965e-004  A 6=-6.15430e-006  A 8= 9.73861e-008  
各種データ
ズーム比      4.75 
広角     中間     望遠
焦点距離       4.42     9.61    20.99  
Fナンバー      2.06     4.60     5.59  
半画角        37.55    21.95    10.46  
像高           3.40     3.88     3.88  
レンズ全長    42.25    36.91    46.13  
BF             3.72     4.04     4.76  
d 4           17.95     5.99     0.49  
d10            1.97     2.04     1.97  
d13            3.08     9.31    23.39  
d15            1.97     2.29     3.00  
ズームレンズ群データ
群  始面    焦点距離  
1    1     -10.35  
2    5      18.56  
3   11      12.34  
4   14      35.96  
5   16       ∞     
【００９２】
［数値実施例２］
単位 mm
面データ
面番号       r        d      nd         νd
1*     26504.927    1.20   1.84954    40.1           
2*         5.110    2.01                             
3          9.241    2.00   1.92286    18.9           
4         20.827  (可変)                             
5*        10.520    2.00   1.68966    53.0           
6*       140.928    1.00                             
7(絞り)    ∞       1.30                             
8          5.174    1.90   1.69680    55.5           
9         56.668    0.60   1.80518    25.4           
10          4.001  (可変)                             
11         10.955    1.50   1.80610    40.9           
12         78.522    0.30                             
13副絞り    ∞     (可変)                             
14         15.683    1.80   1.69680    55.5           
15        -36.659  (可変)                             
16          ∞       0.80   1.51633    64.1           
17          ∞       1.23                            
像面        ∞   
非球面データ
第1面
K =-7.54512e+008  A 4=-1.67403e-004  A 6= 9.33429e-006  A 8=-1.51735e-007  A10= 8.75846e-010  
第2面
K =-1.43605e+000  A 4= 5.35449e-004  A 6= 6.14913e-006  A 8= 2.38775e-007  A10=-6.71424e-009  
第5面
K =-9.82652e-001  A 4= 5.05540e-005  A 6= 1.84778e-005  A 8=-3.47736e-007  A10= 5.88634e-008  
第6面
K =-2.93631e+003  A 4= 2.30409e-004  A 6= 5.21384e-006  A 8= 1.50372e-006  
各種データ
ズーム比      4.90 
広角     中間     望遠
焦点距離       4.29     9.57    21.01  
Fナンバー      2.06     4.90     5.90  
半画角        38.43    22.05    10.45  
像高           3.40     3.88     3.88  
レンズ全長    41.01    39.45    50.34  
BF             4.15     4.01     3.78  
d 4           16.34     5.29     0.71  
d10            1.86     2.96     1.67  
d13            3.06    11.58    28.57  
d15            2.40     2.26     2.03  
ズームレンズ群データ
群  始面    焦点距離  
1    1     -10.68  
2    5      17.00  
3   11      15.64  
4   14      15.99  
5   16       ∞    
【００９３】
［数値実施例３］
単位 mm
面データ
面番号       r        d      nd         νd
1*         ∞       1.20   1.84954    40.1           
2*         5.149    1.97                             
3          9.154    2.00   1.92286    18.9           
4         20.225  (可変)                             
5*        10.287    2.00   1.68966    53.0           
6*       123.420    1.00                             
7(絞り)    ∞       1.30                             
8          5.269    1.90   1.69680    55.5           
9         46.496    0.60   1.80518    25.4           
10          3.964  (可変)                             
11          9.494    1.50   1.80610    40.9           
12         46.126    0.30                             
13副絞り    ∞     (可変)                             
14         20.907    1.80   1.69680    55.5           
15        -29.032  (可変)                             
16          ∞       0.80   1.51633    64.1           
17          ∞       1.23                             
像面        ∞   
非球面データ
第1面
K =-7.54512e+008  A 4=-1.46732e-004  A 6= 9.66392e-006  A 8=-1.60727e-007  A10= 8.84822e-010  
第2面
K =-1.41390e+000  A 4= 5.48707e-004  A 6= 7.63648e-006  A 8= 3.27757e-007  A10=-1.05966e-008  
第5面
K =-1.41951e+000  A 4=-3.28500e-005  A 6= 1.59160e-005  A 8=-6.03687e-007  A10= 5.71648e-008  
第6面
K =-2.19846e+003  A 4= 6.76682e-005  A 6= 5.75374e-007  A 8= 1.15484e-006  
各種データ
ズーム比      5.62 
広角     中間     望遠
焦点距離       4.27    10.19    23.98  
Fナンバー      2.06     4.90     6.60  
半画角        38.56    20.83     9.18  
像高           3.40     3.88     3.88  
レンズ全長    41.92    38.51    52.20  
BF             4.12     3.99     3.73  
d 4           17.36     5.22     0.37  
d10            1.81     1.92     1.46  
d13            3.06    11.80    31.08  
d15            2.37     2.24     1.97  
ズームレンズ群データ
群  始面    焦点距離  
1    1     -10.72  
2    5      17.60  
3   11      14.56  
4   14      17.71  
5   16       ∞    
【００９４】
［数値実施例４］
単位 mm
面データ
面番号       r        d      nd         νd
1*         ∞       1.15   1.84954    40.1           
2*         4.994    1.94                             
3          9.368    2.05   1.92286    18.9           
4         21.997  (可変)                             
5*        11.070    2.00   1.68966    53.0           
6*       103.853    1.40                             
7(絞り)    ∞       0.80                             
8          5.657    1.90   1.69680    55.5           
9         19.750    0.60   1.80518    25.4           
10          4.388  (可変)                             
11         11.288    1.20   1.60311    60.6           
12        -30.000    0.50   1.80518    25.4           
13        -36.239    0.80                             
14副絞り    ∞     (可変)                             
15*        11.358    1.80   1.58313    59.4           
16        220.698  (可変)                             
17          ∞       0.80   1.51633    64.1           
18          ∞       1.23                            
像面        ∞   
非球面データ
第1面
K =-7.54512e+008  A 4=-2.02941e-004  A 6= 9.78702e-006  A 8=-1.56315e-007  A10= 8.79719e-010  
第2面
K =-1.51427e+000  A 4= 5.69352e-004  A 6= 3.18920e-006  A 8= 2.71423e-007  A10=-7.40922e-009  
第5面
K =-8.21821e-001  A 4=-8.58877e-005  A 6= 9.93973e-006  A 8=-1.17417e-008  A10= 1.14713e-008  
第6面
K =-1.03904e+003  A 4= 5.46182e-005  A 6= 8.48909e-006  A 8= 2.54040e-007  
第15面
K = 2.70428e+000  A 4=-2.78093e-004  A 6= 8.57569e-006  A 8=-4.68119e-007  
各種データ
ズーム比      4.76 
焦点距離       4.41     9.64    20.99  
Fナンバー      2.06     4.60     6.01  
半画角        37.64    21.89    10.46  
像高           3.40     3.88     3.88  
レンズ全長    42.25    39.95    51.41  
BF             4.49     4.24     3.77  
d 4           16.25     5.22     0.49  
d10            2.29     2.53     1.82  
d14            3.08    11.82    29.18  
d16            2.73     2.48     2.02  
ズームレンズ群データ
群  始面    焦点距離  
1    1     -10.35  
2    5      18.97  
3   11      14.70  
4   15      20.47  
5   17       ∞    
【００９５】
【表１】
2012252253.tif 000003
【符号の説明】
【００９６】
Ｌ１は第１レンズ群、Ｌ２は第２レンズ群、Ｌ３は第３レンズ群、Ｌ４は第４レンズ群、ＳＰは絞り、ＦＰは副絞り
【図１】
2012252253.tif 000004
【図２】
2012252253.tif 000005
【図３】
2012252253.tif 000006
【図４】
2012252253.tif 000007
【図５】
2012252253.tif 000008
【図６】
2012252253.tif 000009
【図７】
2012252253.tif 000010
【図８】
2012252253.tif 000011
【図９】
2012252253.tif 000012